(57)【特許請求の範囲】
【請求項１】
端部領域でエアを充填するためのエアチャンバが形成されており、映像を表示するためのパネルアセンブリーと、
前記パネルアセンブリー上に装着され、前記パネルアセンブリーを保護し、表面で発生するタッチを検出するためのカバーウィンドウと、
前記カバーウィンドウと前記パネルアセンブリーとを相互から離隔させるための開放ホールが中央領域に形成されていて、前記パネルアセンブリーの端部領域で前記カバーウィンドウを接着させ、前記エアチャンバを前記開放ホールに連結させて前記エアの移動経路を提供するためのエア経路部が形成された接着テープと、を含むことを特徴とする携帯端末機。
【請求項２】
前記パネルアセンブリーは、
内部光を前記カバーウィンドウに伝送する導光板と、
前記導光板と前記カバーウィンドウとの間に配置され、前記導光板で前記内部光を収容し、前記映像を提供するためのガラスパネルと、
前記導光板の下部面に装着され、前記導光板の側部に延長し、前記ガラスパネルの側部に前記エアチャンバを形成するためのパネル支持体と、を含むことを特徴とする請求項１に記載の携帯端末機。
【請求項３】
前記エア経路部は、
前記接着テープで前記開放ホールを延長させるための溝または前記接着テープを貫通するホールのうち少なくともいずれか１つの形状を有することを特徴とする請求項１に記載の携帯端末機。
【請求項４】
前記パネルアセンブリーを保持させて前記パネルアセンブリーを固定させ、中央領域で前記パネルアセンブリーを離隔させるための離隔溝が形成されたパネル固定体をさらに含むことを特徴とする請求項１に記載の携帯端末機。
【請求項５】
カバーウィンドウは、ポリエチレンテレフタレート（ｐｏｌｙｅｈｙｌｅｎｅｔｅｒｅｐｈｔｈａｌａｔｅ）、ポリメチルメタクリレート（ｐｏｌｙｍｅｔｈｙｌｍｅｔｈａｃｒｙｌａｔｅ）、ポリアミド（ｐｏｌｙａｍｉｄｅ）、ポリイミド（ｐｏｌｙｉｍｉｄｅ）、ポリプロピレン（ｐｏｌｙｐｒｏｐｙｌｅｎｅ）及びポリウレタン（ｐｏｌｙｕｒｅｔｈａｎｅ）のうち少なくとも１つを含んで構成されることを特徴とする請求項１に記載の携帯端末機。
【請求項６】
カバーウィンドウを一方向に収容するための収容ホールが形成され、収容ホールの端部領域から中央領域に突出し、カバーウィンドウを保持させるための保持鍔が設けられるカバーシャーシーをさらに含むことを特徴とする請求項１に記載の携帯端末機。
【請求項７】
前記接着テープは、カバーウィンドウに接着され、カバーシャーシーの収容ホール上に配置されることを特徴とする請求項１に記載の携帯端末機。
【請求項８】
携帯端末機ユーザがカバーウィンドウを通じてパネルアセンブリータッチ時に前記開放ホール中にエアが流入され、エア通路を通じてエアチャンバが充填され、そしてカバーウィンドウとパネルアセンブリーとの接触を防止するためにエアホールにリターンすることを特徴とする請求項１に記載の携帯端末機。
【発明の詳細な説明】
【技術分野】
【０００１】
本発明は、携帯端末機に関し、より具体的に、本発明は、映像表示のためのパネルアセンブリー（ｐａｎｅｌ  ａｓｓｅｍｂｌｙ）を有する携帯端末機に関する。
【背景技術】
【０００２】
一般的に携帯端末機は、多様な機能が付加され、複合的な機能を行う。携帯端末機は、各種機能を行うためのキーボード（ｋｅｙｂｏａｒｄ）やマウス（ｍｏｕｓｅ）などの入力部を具備している。しかし、携帯が容易ではない問題点がある。これにより、前記問題点を克服するために、現在の携帯端末機は、キーボードやマウスの代わりに、タッチスクリーン（ｔｏｕｃｈ  ｓｃｒｅｅｎ）を具備している。この際、タッチスクリーンは、映像表示のための表示パネル（ｄｉｓｐｌａｙ  ｐａｎｅｌ）と、表示パネルに装着され、表面で発生するユーザのタッチ（ｔｏｕｃｈ）動作を感知するためのタッチパネル（Ｔｏｕｃｈ  Ｓｃｒｅｅｎ  Ｐａｎｅｌ；ＴＳＰ）と、を含むパネルアセンブリーを具備する。すなわち携帯端末機は、タッチスクリーンを通じて映像を表示し、ユーザのタッチ動作を感知し、各種機能を行う。
【０００３】
ところが、前記のような携帯端末機のタッチスクリーンで誤動作が発生することができる。すなわち携帯端末機のユーザが指を利用してタッチスクリーンで特定位置にタッチするとき、タッチスクリーンでタッチが行われる位置から離隔された位置で独特の模様が現われるプーリング（ｐｏｏｌｉｎｇ）現象が発生することができる。このようなプーリング現象は、ユーザタッチによって表示パネルとタッチパネルとが接触することによって発生することができる。またはプーリング現象は、携帯端末機において表示パネルの背面に摩擦が形成されることによって発生することができる。
【発明の概要】
【発明が解決しようとする課題】
【０００４】
したがって、携帯端末機においてプーリング現象を抑制するために改善された装置の必要性が要求されている。
【課題を解決するための手段】
【０００５】
前記課題を解決するために、本発明による映像表示のための携帯端末機は、端部領域でエアを充填するためのエアチャンバが形成されており、映像を表示するためのパネルアセンブリーと、前記パネルアセンブリー上に装着され、前記パネルアセンブリーを保護し、表面で発生するタッチを感知するためのカバーウィンドウと、前記カバーウィンドウと前記パネルアセンブリーとを相互から離隔させるための開放ホールが中央領域に形成されていて、前記パネルアセンブリーの端部領域で前記カバーウィンドウを接着させ、前記エアチャンバを前記開放ホールに連結させて前記エアの移動経路を提供するためのエア経路部が形成された接着テープと、を含むことを特徴とする。
【０００６】
この際、本発明による携帯端末機において、前記パネルアセンブリーは、内部光を前記カバーウィンドウに出力する導光板と、前記導光板と前記カバーウィンドウとの間に配置され、前記導光板で前記内部光を収容し、前記映像を提供するためのガラスパネルと、前記導光板の下部面に装着され、前記導光板の側部に延長し、前記ガラスパネルの側部に前記エアチャンバを形成するためのパネル支持体と、を含む。
【０００７】
そして、本発明による携帯端末機において、前記エア経路部は、前記接着テープで前記開放ホールを延長させるための溝または前記接着テープを貫通するホールのうち少なくともいずれか１つの形状を有する。
【０００８】
また、本発明による携帯端末機は、前記パネル支持体を保持させて、前記パネルアセンブリーを固定させ、中央領域で前記パネルアセンブリーを離隔させるための離隔溝が形成されたパネル固定体をさらに含む。
【発明の効果】
【０００９】
本発明によれば、携帯端末機は、プーリング現象なしにイメージを表示することができる。また、カバーウィンドウを通じてユーザがパネルアセンブリータッチ時に機能の誤動作を減らすことができる。
【図面の簡単な説明】
【００１０】
【図１】図１は、本発明の実施例による携帯端末機の外形を全体的に示す斜視図である。
【図２】図２は、本発明の実施例による携帯端末機の構成を分解して示す斜視図である。
【図３】図３は、本発明の実施例による携帯端末機の一断面を示す断面図である。
【図４】図４は、本発明の実施例による携帯端末機の他の断面を示す断面図である。
【発明を実施するための形態】
【００１１】
以下、添付の図面を参照して本発明の実施例をさらに詳細に説明する。この際、添付の図面において、同一の構成要素は、できるだけ同一の符号で示していることに留意しなければならない。そして、本発明の要旨を不明にすることができる公知機能及び構成に関する詳細な説明は省略する。
【００１２】
図１は、本発明の実施例による携帯端末機の外形を全体的に示す斜視図である。そして、図２は、本発明の実施例による携帯端末機の構成を分解して示す斜視図である。この際、本実施例において携帯端末機が携帯電話機である場合を仮定して説明する。
【００１３】
図１及び図２を参照すれば、本実施例の携帯端末機１００は、カバーウィンドウ（ｃｏｖｅｒ  ｗｉｎｄｏｗ）１１０、カバーシャーシー（ｃｏｖｅｒ  ｃｈａｓｓｉｓ）１２０、接着テープ（ａｄｈｅｓｉｖｅ  ｔａｐｅ）１３０、パネルアセンブリー１４０及びパネル固定体（ｐａｎｅｌ  ｂｒａｃｋｅｔ）１５０を含む。
【００１４】
カバーウィンドウ１１０は、携帯端末機１００の内部構成を保護する機能を行う。そして、カバーウィンドウ１１０は、表面で発生するタッチを感知する機能を行う。このために、カバーウィンドウ１１０は、タッチパネルを具備する。このようなカバーウィンドウ１１０は、平板（ｆｌａｔ  ｐｌａｔｅ）形態で具現される。また、カバーウィンドウ１１０は、携帯端末機１００の内部で発生する内部光を外部に透過させる。さらに、カバーウィンドウ１１０は、携帯端末機１００の外部で到達する外部光を携帯端末機１００の内部に透過させることができる。この際、カバーウィンドウ１１０は、光透過性、耐熱性、耐化学性及び機械的強度などに優れた材質よりなることができる。ここで、カバーウィンドウ１１０は、例えば、ポリエチレンテレフタレート（ｐｏｌｙｅｈｙｌｅｎｅｔｅｒｅｐｈｔｈａｌａｔｅ）などよりなる透明フィルムまたはガラス（ｇｌａｓｓ）基板であってもよく、ポリメチルメタクリレート（ｐｏｌｙｍｅｔｈｙｌｍｅｔｈａｃｒｙｌａｔｅ）、ポリアミド（ｐｏｌｙａｍｉｄｅ）、ポリイミド（ｐｏｌｙｉｍｉｄｅ）、ポリプロピレン（ｐｏｌｙｐｒｏｐｙｌｅｎｅ）またはポリウレタン（ｐｏｌｙｕｒｅｔｈａｎｅ）などよりなるプラスチック（ｐｌａｓｔｉｃ）基板であってもよい。
【００１５】
カバーシャーシー１２０は、カバーウィンドウ１１０とともに携帯端末機１００の内部構成を保護する機能を行う。このようなカバーシャーシー１２０は、携帯端末機１００において少なくとも１つの方向に沿って携帯端末機１００の内部構成を保護するための形態で具現される。ここで、カバーシャーシー１２０は、合成樹脂（ｓｙｎｔｈｅｔｉｃ  ｒｅｓｉｎｓ）よりなることができ、例えばステンレススチール（ｓｔａｉｎｌｅｓｓ ｓｔｅｅｌ）またはチタン（Ｔｉｔａｎｉｕｍ；Ｔｉ）などのような金属材質よりなることもできる。そして、カバーシャーシー１２０は、カバーウィンドウ１１０を一方向に収容するための収容ホール（ｒｅｃｅｉｖｉｎｇ  ｈｏｌｅ）１２１が形成された構造で具現される。この際、カバーシャーシー１２０は、収容ホール１２１の端部領域から中央領域に突出し、カバーウィンドウ１１０を保持させるための保持鍔（ｒｅｃｅｉｐｔ  ｓｔｏｐｐｅｒ）１２３を具備することができる。ここで、保持鍔１２３は、収容ホール１２１においてカバーウィンドウ１１０を収容する反対方向にカバーウィンドウ１１０を支持する。
【００１６】
接着テープ１３０は、携帯端末機１００の内部構成とカバーウィンドウ１１０とを相互接着させる機能を行う。これにより、携帯端末機１００の内部構成がカバーウィンドウ１１０によって保護される。このような接着テープ１３０は、カバーシャーシー１２０の収容ホール１２１に挿入され、カバーウィンドウ１１０に接着される。そして、接着テープ１３０は、中央領域に開放ホール（ｏｐｅｎ  ｈｏｌｅ）１３１が形成されたフレーム（ｆｒａｍｅ）形態で具現される。この際、接着テープ１３０は、エア経路部（ａｉｒ  ｐａｔｈ  ｐａｒｔ）１３３が形成された構造で具現される。ここで、エア経路部１３３は、接着テープ１３０において開放ホール１３１の端部領域に沿って凹凸形態で形成される。すなわちエア経路部１３３は、開放ホール１３１を延長させるための溝（ｇｒｏｏｖｅ）形状を有する。
【００１７】
パネルアセンブリー１４０は、携帯端末機１００の内部構成であって、携帯端末機１００において実質的な動作を行う。この際、パネルアセンブリー１４０は、映像を表示する機能を行う。このようなパネルアセンブリー１４０は、カバーシャーシー１２０の収容ホール１２１においてカバーウィンドウ１１０を収容する方向に反対される方向にカバーシャーシー１２０の収容ホール１２１に収容される。そして、パネルアセンブリー１４０は、接着テープ１３０を通じてカバーウィンドウ１１０に締結される。すなわちパネルアセンブリー１４０は、接着テープ１３０を通じてカバーウィンドウ１１０だけでなく、カバーシャーシー１２０に締結される。これにより、パネルアセンブリー１４０がカバーウィンドウ１１０及びカバーシャーシー１２０によって保護される。
【００１８】
この際、パネルアセンブリー１４０は、接着テープ１３０の開放ホール１３１及びエア経路部１３３を通じてカバーウィンドウ１１０から離隔される。すなわちカバーウィンドウ１１０とパネルアセンブリー１４０との間で、接着テープ１３０の開放ホール１３１によって空間が形成され、当該空間にエア（ａｉｒ）が充填される。この際、当該空間は、開放ホール１３１及びエア経路部１３３の面積と接着テープ１３０の厚さに相当する体積を有する。ここで、パネルアセンブリー１４０の詳細構成は、図３及び図４を参照して後述する。
【００１９】
パネル固定体１５０は、携帯端末機１００の内部構成を固定させる機能を行う。このようなパネル固定体１５０は、パネルアセンブリー１４０を保持させてパネルアセンブリー１４０を固定させる。この際、パネル固定体１５０は、パネルアセンブリー１４０に対応する領域、すなわちパネルアセンブリー１４０を保持させるための領域の中央領域に離隔溝（ｓｅｐａｒａｔｉｎｇ  ｇｒｏｏｖｅ）１５１が形成された構造で具現される。ここで、パネル固定体１５０において離隔溝１５１の端部領域にパネルアセンブリー１４０を固定させるための固定鍔（ｆｉｘ  ｓｔｏｐｐｅｒ）１５３が形成される。すなわちパネル固定体１５０は、固定鍔１５３を通じてパネルアセンブリー１４０を支持し、離隔溝１５１を通じてパネル固定体１５０からパネルアセンブリー１４０を離隔させる
【００２０】
そして、パネル固定体１５０は、カバーウィンドウ１１０及びカバーシャーシー１２０とともに携帯端末機１００の内部構成を保護する機能を行う。このようなパネル固定体１５０は、携帯端末機１００において少なくとも１つの方向で携帯端末機１００の内部構成を保護するための形態で具現される。この際、パネル固定体１５０は、端部領域を通じてカバーシャーシー１２０に締結され、内部空間を形成する。これにより、カバーウィンドウ１１０、カバーシャーシー１２０及びパネル固定体１５０によって形成される内部空間にパネルアセンブリー１４０が収納されて保護される。
【００２１】
図３は、本発明の実施例による携帯端末機の一断面を示す断面図である。そして、図４は、本発明の実施例による携帯端末機の他の断面を示す断面図である。この際、図３及び図４は、本実施例の携帯端末機においてＹ軸及びＺ軸方向に延長する断面を示している。
図３及び図４を参照すれば、本実施例の携帯端末機１００において、パネルアセンブリー１４０は、導光板（ｌｉｇｈｔ  ｇｕｉｄｅ  ｐｌａｔｅ）１４１、ガラスパネル（ｇｌａｓｓｐａｎｅｌ）１４３及びパネル支持体（ｐａｎｅｌ  ｓｕｓｐｅｎｓｉｏｎ）１４５を備える。
【００２２】
導光板１４１は、光源（図示せず）で生成された内部光をカバーウィンドウ１１０側に出力する。この際、導光板１４１は、アクリル（ａｃｒｙｌｉｃ）のようなプラスチック系の透明な物質よりなることができる。そして、光源は、冷陰極光源（Ｃｏｌｄ  Ｃａｔｈｏｄｅ  Ｆｌｕｏｒｅｓｃｅｎｔ  Ｌａｍｐ；ＣＣＦＬ）または熱陰極光源（Ｈｏｔ  Ｆｌｕｏｒｅｓｃｅｎｔ  Ｌａｍｐ；ＨＣＦＬ）などの線光源であってもよく、発光ダイオード（Ｌｉｇｈｔ  Ｅｍｉｔｔｉｎｇ  Ｄｉｏｄｅ；ＬＥＤ）などの点光源であってもよい。
【００２３】
ガラスパネル１４３は、パネルアセンブリー１４０において導光板１４１上に装着される。そして、ガラスパネル１４３は、導光板１４１で出力される内部光を収容し、映像を提供するための表示パネル（図示せず）を具備する。この際、表示パネルは、液晶表示パネル（Ｌｉｑｕｉｄ Ｃｒｙｓｔａｌ   Ｄｉｓｐｌａｙ；ＬＣＤ）であってもよい。
【００２４】
例えば、液晶表示パネルは、薄膜トランジスタ（Ｔｈｉｎ  Ｆｉｒｍ  Ｔｒａｎｓｉｓｔｏｒ；ＴＦＴ）基板及びカラーフィルター（ｃｏｌｏｒ  ｆｉｌｔｅｒ）基板よりなり、薄膜トランジスタ基板とカラーフィルター基板との間に液晶が注入された構造を有する。ここで、表示パネルの材質が液晶の種類によって決定される。薄膜トランジスタ基板は、導光板１４１で透過される内部光の光透過度を変更させるために、液晶の配列を変化させる。すなわち薄膜トランジスタ基板は、内部光を液晶を通じて所望の形状に伝達する。そして、カラーフィルター基板は、液晶を通じて伝達された内部光を一定色で提供する。このようなカラーフィルター基板は、内部光を一定色が発現されるようにするための多数個のＲＧＢ（Ｒｅｄ、Ｇｒｅｅｎ、Ｂｌｕｅ）画素よりなる。
【００２５】
この際、パネルアセンブリー１４０が接着テープ１３０を通じてカバーウィンドウ１１０に接着されることによって、ガラスパネル１４３がカバーウィンドウ１１０と導光板１４１との間に配置される。そして、接着テープ１３０は、タッチパネルと表示パネルとの間に介在され、これらを相互接着させる。これにより、カバーウィンドウ１１０とパネルアセンブリー１４０とがタッチスクリーンで具現される。ここで、ガラスパネル１４３は、導光板１４１と比較して小さいサイズで具現されることができる。すなわち導光板１４１上にガラスパネル１４３を装着するとき、ガラスパネル１４３の周辺領域に、すなわちＸ軸またはＹ軸のうち少なくともいずれか１つの方向に導光板１４１が突出することができる。
【００２６】
パネル支持体１４５は、導光板１４１の下部面に装着され、導光板１４１及びガラスパネル１４３を支持する。そして、パネル支持体１４５は、導光板１４１の下部面から導光板１４１及びガラスパネル１４３の側部に延長する。このようなパネル支持体１４５は、パネルアセンブリー１４０の強度補完のための機能を行う。
【００２７】
この際、パネル支持体１４５は、ガラスパネル１４３の側部にエアチャンバ１４７を提供する。すなわちパネル支持体１４５は、ガラスパネル１４３の側部から離隔されるように延長し、ガラスパネル１４３とパネル支持体１４５との間にエアチャンバ１４７を提供する。この際、パネル支持体１４５は、導光板１４１の側部にエアチャンバ１４７を拡張させることができる。すなわち導光板１４１とガラスパネル１４３が同一のサイズで具現された場合、パネル支持体１４５は、導光板１４１の側部から離隔するように延長し、導光板１４１の側部にエアチャンバ１４７を拡張させることができる。
【００２８】
そして、パネル支持体１４５は、導光板１４１及びガラスパネル１４３の側部で接着テープ１３０に接着される。また、ガラスパネル１４３は、端部領域で一部を通じて接着テープ１３０に接着される。すなわちガラスパネル１４３の端部領域で一部が接着テープ１３０のエア経路部１３３に対応して露出される。ここで、エアチャンバ１４７は、接着テープ１３０のエア経路部１３３を通じて開放ホール１３１に連結される。すなわちエア経路部１３３が開放ホール１３１とエアチャンバ１４７との間にエアの移動経路を提供する。さらに、パネル支持体１４５は、導光板１４１の下部で端部領域を通じてパネル固定体１５０の固定鍔１５３に保持されて支持される。この際、パネル支持体１４５の中央領域がパネル固定体１５０の離隔溝１５１を通じてパネル固定体１５０から離隔される。
【００２９】
本実施例によれば、携帯端末機１００のユーザがカバーウィンドウ１１０を通じてパネルアセンブリー１４０にタッチするとき、開放ホール１３１のエアがエア経路部１３３を通じてエアチャンバ１４７に充填後、開放ホール１３１に戻る。これにより、カバーウィンドウ１１０とパネルアセンブリー１４０との間で開放ホール１３１が真空状態になることを抑制し、携帯端末機１００のユーザタッチによってカバーウィンドウ１１０とパネルアセンブリー１４０、すなわちタッチパネルと表示パネルが接触することを抑制することができる。しかも、パネル固定体１５０の離隔溝１５１を通じて、パネル支持体１４５とパネル固定体１５０との接触面積が減少する。これにより、携帯端末機１００のユーザがカバーウィンドウ１１０を通じてパネルアセンブリー１４０にタッチするとき、パネルアセンブリー１４０の背面でパネル固定体１５０によって摩擦が形成されることを抑制することができる。これにより、携帯端末機１００の動作時に、携帯端末機１００においてプーリング現象が発生することを抑制することができる。すなわち携帯端末機１００の誤動作を抑制することができる。
【００３０】
一方、前述した実施例の携帯端末機において接着テープのエア経路部が溝形状を有する例を開示したが、これに限定するものではない。すなわち携帯端末機において接着テープのエア経路部がパネルアセンブリーのエアチャンバを開放させるための形状を有することによって、本発明の具現が可能である。例えば、接着テープにおいてエア経路部は、接着テープの周縁に沿って接着テープを貫通するホール形状を有することができる。または、接着テープにおいてエア経路部は、開放ホールを延長させるための溝形状及び接着テープを貫通するホール形状を有することもできる。
【００３１】
一方、本明細書及び図面を通じて本発明の好ましい実施例について説明し、たとえ特定用語が使用されたが、これは、ただ本発明の技術内容を容易に説明し、発明の理解を助けるための一般的な意味として使用されたものに過ぎず、本発明の範囲を限定しようとするものではない。ここに開示された実施例以外にも本発明の技術的思想に基づく他の変形例が実施可能であるということは、本発明の属する技術分野における通常の知識を有する者に自明である。
【符号の説明】
【００３２】
１００  携帯端末機
１１０  カバーウィンドウ
１２０  カバーシャーシー
１２１  収容ホール
１２３  保持鍔
１３０  接着テープ
１３１  開放ホール
１３３  エア経路部
１４０  パネルアセンブリー
１４１  導光板
１４３  ガラスパネル
１４５  パネル支持体
１５０  パネル固定体
１５１  離隔溝
１５３  固定鍔
【図１】
0005813124.tif 000002
【図２】
0005813124.tif 000003
【図３】
0005813124.tif 000004
【図４】
0005813124.tif 000005